(57)【要約】【課題】この発明は、異なる曲率で構成されたコーナー部であっても確実にカバーできるコーナー配管用断熱カバー及び冷媒用配管の施工方法を提供することを目的とする。【解決手段】冷媒用複合配管１００のコーナー部１００ａを被覆するためのコーナー配管用断熱カバー１であって、該コーナー配管用断熱カバー１を、外形が略Ｌ字型で両端が開口した中空の保護ケース１０と、該保護ケース１０の内部に設けられ、前記冷媒用複合配管１００の屈曲管３１を囲繞して断熱する断熱層部２０とで構成し、断熱層部２０の内部に、屈曲管３１を収容可能な収容空間２２を設け、収容空間２２を形成する断熱層部２０の内面における曲率半径を、径外側より径内側を大きく形成し、保護ケース１０を断面略Ｃ字型に構成し、該略Ｃ字型断面の端面１０ｂを屈曲内側に配置し、端面１０ｂを結合する凸状鉤部１２及びジッパー１３を備えた。【選択図】図１
2009030698.tif 000002
【特許請求の範囲】
【請求項１】
冷媒用配管のコーナー部を被覆するためのコーナー配管用断熱カバーであって、
該コーナー配管用断熱カバーを、
外形が略Ｌ字型で両端が開口した中空の保護ケース部と、
該保護ケース部の内部に設けられ、前記冷媒用配管の屈曲部を囲繞して断熱する断熱層部とで構成し、
前記断熱層部の内部に、前記屈曲部を収容可能な収容空間を設け、
該収容空間を形成する前記断熱層部の内面における曲率半径を、径外側より径内側を大きく形成した
コーナー配管用断熱カバー。
【請求項２】
前記保護ケース部を、前記冷媒用配管の前記屈曲部近傍における管軸を含む平面によって分割する分断部分を設け、
前記分断部分を結合する結合手段を備えた
請求項１に記載のコーナー配管用断熱カバー。
【請求項３】
前記保護ケース部を、
前記冷媒用配管の管軸方向に対する直角な断面を略Ｃ字型に構成し、
該略Ｃ字型断面の分断部分を、前記屈曲部の屈曲内側の側面に配置し、
前記分断部分を結合する結合手段を備えた
請求項１に記載のコーナー配管用断熱カバー。
【請求項４】
前記結合手段を、
前記保護ケース部の分断部分のそれぞれの端面に管軸方向に沿って備えた断面鉤状の凸部と、
両側の凸部を合わせて嵌合する断面略Ｃ字状のジッパーとで構成した
請求項２又は３に記載のコーナー配管用断熱カバー。
【請求項５】
前記結合手段を、
前記保護ケース部の分断部分の各端面に管軸方向に沿って備え、互いに嵌合可能なツメ型部および／または受け型部で構成した
請求項２又は３に記載のコーナー配管用断熱カバー。
【請求項６】
前記保護ケース部の前記分断部分の両端近傍に前記結合手段を備えず、前記両端近傍を重ね合わせることを特徴とする
請求項２項から５項のうちいずれかに記載のコーナー配管用断熱カバー。
【請求項７】
冷媒用配管の外周が被覆材で被覆された冷媒用の複合配管を用い、
前記被覆材を除去した複合配管のコーナー部に、断熱層部を装着し、
前記被覆材と前記断熱層部の境界部分を跨いで粘着テープで固定し、
前記断熱層部の外側に保護ケース部をかぶせ、
前記保護ケース部の分断部を結合し、
前記被覆材と前記保護ケース部の境界部分を跨いで粘着テープで固定する
冷媒用配管の施工方法。
【発明の詳細な説明】
【技術分野】
【０００１】
この発明は、例えば空調用の冷媒用配管におけるコーナー部のコーナー配管用断熱カバーに関する。
【背景技術】
【０００２】
空調配管システムは、ビルの屋上等に設置された室外ユニットと、ビル内に設置された室内ユニットと、それらを接続する冷媒用配管とから構成されている。ユニットの配置に応じて、冷媒用配管には適宜コーナー部や接続部が設けられる。これら冷媒用配管は、主としてビルの屋上などでは屋外に配管されるものであり、断熱性に加えて耐候性・耐傷性が必要である。なお、冷媒用配管中を流れる冷媒は、外気温よりも低温の場合と高温の場合とがある。
【０００３】
特許文献１には、断熱性・耐候性・耐傷性に優れる冷媒用配管が開示されている。この冷媒用配管は予め被覆材によって被覆されているため、断熱性・耐候性・耐傷性に優れている。しかし、配管の設置の施工においては、配管ベンダーによる曲げや、エルボによるロウ付け接続を要する部分があり、当該部分においては、被覆材を除去しなければならない。
【０００４】
このように被覆材を除去した部分は断熱性がなくなるため、別の断熱材を巻いてテープで固定するなどの断熱性確保のための処理が必要である。しかし、別の断熱材を設ける場合は、曲管やエルボの曲率によっては施工が困難となり、断熱性が不十分になるなどの問題があった。
【０００５】
また、特許文献２には、直状のカバーを、角度を振った傾斜姿勢で接続することができる冷媒用配管のコーナー用のカバーが開示されている。これは直線部分と曲げ部分を覆う保護カバーであるが、カバー自体には断熱性はなく、別途断熱のための被覆が必要であった。
【０００６】
【特許文献１】特開２００６−３４８９７６号公報
【特許文献２】特開２００３−１２０９６０号公報
【発明の開示】
【発明が解決しようとする課題】
【０００７】
この発明は、異なる曲率で構成されたコーナー部であっても確実にカバーできるコーナー配管用断熱カバー及び冷媒用配管の施工方法を提供することを目的とする。
【課題を解決するための手段】
【０００８】
この発明は、冷媒用配管のコーナー部を被覆するためのコーナー配管用断熱カバーであって、該コーナー配管用断熱カバーを、外形が略Ｌ字型で両端が開口した中空の保護ケース部と、該保護ケース部の内部に設けられ、前記冷媒用配管の屈曲部を囲繞して断熱する断熱層部とで構成し、前記断熱層部の内部に、前記屈曲部を収容可能な収容空間を設け、該収容空間を形成する前記断熱層部の内面における曲率半径を、径外側より径内側を大きく形成したコーナー配管用断熱カバーであることを特徴とする。
【０００９】
この発明の態様として、前記保護ケース部を、前記冷媒用配管の前記屈曲部近傍における管軸を含む平面によって分割する分断部分を設け、前記分断部分を結合する結合手段を備えることができる。
【００１０】
また、この発明の態様として、前記保護ケース部を、前記冷媒用配管の管軸方向に対する直角な断面を略Ｃ字型に構成し、該略Ｃ字型断面の分断部分を、前記屈曲部の屈曲内側の側面に配置し、前記分断部分を結合する結合手段を備えることができる。
【００１１】
また、この発明の態様として、前記結合手段を、前記保護ケース部の分断部分のそれぞれの端面に管軸方向に沿って備えた断面鉤状の凸部と、両側の凸部を合わせて嵌合する断面略Ｃ字状のジッパーとで構成することができる。
【００１２】
また、この発明の態様として、前記結合手段を、前記保護ケース部の分断部分の各端面に管軸方向に沿って備え、互いに嵌合可能なツメ型部および／または受け型部で構成することができる。  
また、この発明の態様として、前記保護ケース部の前記分断部分の両端近傍に前記結合手段を備えず、前記両端近傍を重ね合わせることができる。
【００１３】
また、この発明は、冷媒用配管の外周が被覆材で被覆された冷媒用の複合配管を用い、前記被覆材を除去した複合配管のコーナー部に、断熱層部を装着し、前記被覆材と前記断熱層部の境界部分を跨いで粘着テープで固定し、前記断熱層部の外側に保護ケース部をかぶせ、前記保護ケース部の分断部を結合し、前記被覆材と前記保護ケース部の境界部分を跨いで粘着テープで固定する冷媒用配管の施工方法であることを特徴とする。
【００１４】
冷媒用配管等は、銅管等の熱伝導性の高い配管で構成された冷媒用配管等であることを含む。なお、冷媒用配管中を流れる冷媒は、外気温よりも低温の場合と高温の場合とがある。  
コーナー部は、上記配管を配管ベンダーによって曲げられた曲管や所定角度に屈曲するエルボによって構成される屈曲部と、該屈曲部の両側に接続された直線部分の一部とで構成された冷媒用配管の一部であることを含む。
【００１５】
径外側及び径内側は、冷媒用配管の屈曲部の曲率半径における外側及び内側であることを指し、径外側の曲率半径は０以上であることを含む。  
冷媒用配管の前記屈曲部近傍における管軸を含む平面は、屈曲部の屈曲する管軸方向が沿う平面であることを含む。なお、管軸方向は配管の長さ方向であることを指す。
【００１６】
略Ｌ型は、立位、倒位、或いは寝位のＬ型、逆Ｌ型、への字型或いは逆への字型等であることを含む。  
分割する分断部分は、保護ケース部を分割する切断面等であることを含む。  
屈曲内側は、冷媒用配管が屈曲する内角側であることを含む。
【００１７】
結合手段は、分断部分を着脱可能に結合する結合手段、或いは分離不可能に結合する結合手段等であることを含む。  
略Ｃ字型断面の分断部分は、Ｃ型の口が開いた開口部分であることを含む。  
略Ｃ字型断面は、立位、倒位、或いは寝位のＣ型であることを含む。
【００１８】
嵌合可能なツメ型部および／または受け型部で構成する結合手段は、一方にツメ型部及び他方に受け型部を備えてツメ型部及び受け型部とが嵌着する結合手段、ツメ型部及び受け型部を両方に千鳥状に配置してそれぞれのツメ型部及び受け型部とが嵌着する結合手段等であることを含む。
【００１９】
両端近傍を重ね合わせは、分断部分の端部近傍の端面のうち一方の端面の外側を他方の端面で覆う様に重ね合わせることを指す。  
保護ケース部の分断部分の両端近傍の各端面に結合手段を備えずとは、保護ケース部の各端面に長さ方向に沿って備えた結合手段を、保護ケース部の長さ方向の両端近傍に結合手段を備えないことを指す。
【発明の効果】
【００２０】
この発明によれば、異なる曲率で構成されたコーナー部であっても確実にカバーできるコーナー配管用断熱カバー及び冷媒用配管の施工方法を提供することができる。
【発明を実施するための最良の形態】
【００２１】
本発明のコーナー配管用断熱カバー１は、断熱被覆が必要な冷媒用複合配管１００のコーナー部１００ａを被覆するために装着するためのものであり、内角側が円弧状の平面視略Ｌ型形状で形成している。
【００２２】
図１及び図２（ａ），（ｂ）に示す様に、コーナー配管用断熱カバー１は、保護ケース１０と、断熱層部２０とで構成している。保護ケース１０は、平面視Ｌ型で両端が開口した中空で形成され、断熱層部２０は、該保護ケース１０の内部に設けられ、冷媒用複合配管１００の屈曲管３１を囲繞して断熱する。そして、断熱層部２０の内部には異なる曲率の屈曲管３１を収容する収容空間２２を設けている。
【００２３】
なお、図１はコーナー配管用断熱カバー１を装着した冷媒用複合配管１００のコーナー部１００ａの平面方向断面図を示し、図２（ａ）は図１におけるａ−ａ断面における端面図を示し、図２（ｂ）は図１におけるｂ−ｂ断面における端面図を示している。
【００２４】
また、図３に示すように、前記保護ケース１０を、前記冷媒用複合配管１００の管軸方向Ｌ（図１参照）に対する直角な断面を略Ｃ字型に構成し、該略Ｃ字型断面の開口部１０ａを屈曲管３１の内角側の側面に配置し、開口部１０ａを結合する凸状鉤部１２を各端面１０ｂに管軸方向Ｌに沿って備え（図１，２参照）、各端面１０ｂに備えた凸状鉤部１２を合わせて嵌合する断面略Ｃ字状のジッパー１３とを備えている。
【００２５】
なお、図３は、コーナー配管用断熱カバー１の構成を説明する分解説明図である。  
また、保護ケース１０の管軸方向Ｌの両端近傍の各端面１０ｃには、凸状鍵部１２を備えず、両端近傍の各端面１０ｃを重ね合わせている。
【００２６】
詳述すると、冷媒用複合配管１００は外径１５ｍｍの銅管１０２の周りを断熱性且つ対候性・対傷性の１０ｍｍ程度の厚みを有する被覆材１０１で被覆した冷媒用の配管である。  
なお、冷媒用複合配管１００のうち屈曲管３１は、配管施工時に、所定箇所の被覆材１０１が剥がされ、図示省略する鋼管配管ベンダーによって、上記配管経路に応じて曲げられた鋼管１０２によって構成されている。なお、鋼管配管ベンダーによって曲げられた屈曲管３１の曲率は、銅管１０２の管径に対応して適宜選択されるが、この場合は半径Ｒ＝５０ｍｍで構成している。
【００２７】
保護ケース１０は、耐候性、耐傷性に優れたポリエチレンで、平面視略Ｌ字型で、管軸方向Ｌに直角な断面が略円形となるよう厚さ３ｍｍの中空に形成している。なお、両端の開口部における保護ケース１０の内径は、冷媒用複合配管１００の外径に合わせておよそ３５ｍｍに形成している。
【００２８】
また、保護ケース１０は、断面が略Ｃ字型に形成され、冷媒用複合配管１００のコーナー部１００ａ等に後付けでかぶせるようにして装着することができる。  
また、略Ｃ字型の保護ケース１０の合わせ面となる端面１０ｂには断面鉤状の凸状鉤部１２を備えている。
【００２９】
なお、開口部１０ａを構成する両端面１０ｂに備えた凸状鉤部１２を、開口部１０ａを塞ぐように突き合わせると、図２（ｃ）に示すように、倒位の略Ｔ字型となり、別部品で同材質の断面略Ｃ字型のジッパー１３を嵌合して固定できる構造である。このように、突き合わせた両端面１０ｂの凸状鉤部１２とジッパー１３による嵌合が、保護ケース１０の長さ方向全体にわたって連続的に嵌合することで、保護ケース１０による断熱性、及び止水性を向上することができる。  
なお、図２（ｃ）は、凸状鉤部１２付近の拡大端面図を示す。
【００３０】
また、保護ケース１０の端面１０ｃの管軸方向Ｌの両端付近には凸状鉤部１２を設けず、端面１０ｂを冷媒用複合配管１００の外周方向に重ね合わせることによって、保護ケース１０の開口部内径と冷媒用複合配管１００の外径に差がある場合でも、締め付けて隙間をなくすことができる。
【００３１】
断熱層部２０は、断熱性の高い発泡ポリエチレンで、被覆材１０１と同程度の厚さ１０ｍｍに形成されている。断熱層部２０は、両端を連通し、銅管１０２を装着する装着孔部２１を内部に有し、略水平方向の切断面２０ａによって、上下２つ分割可能に構成している。
【００３２】
装着孔部２１は、コーナー配管用断熱カバー１の略相似形状である内角側が円弧状の平面視略Ｌ型形状で形成している。なお、両端側の直線部分２１ａは装着する銅管１０２と略同一の断面形状で形成され、屈曲管３１を装着するコーナー部２１ｂは断面ｂ−ｂに向かって、横長の長孔断面形状となるように構成している。したがって、屈曲管３１の外側に収容空間２２を形成している。
【００３３】
このように、切断面２０ａで上下２つ分割可能に構成され、屈曲管３１を含む冷媒用複合配管１００の装着を許容する装着孔部２１を備えたことにより、被覆材１０１を剥がして剥き出しになったコーナー部１００ａの銅管１０２に断熱層部２０を装着することができる。
【００３４】
また、装着孔部２１のうち屈曲管３１に装着するコーナー部２１ｂは断面ｂ−ｂに向かって横長の長孔断面形状に形成し、屈曲管３１の外側に収容空間２２を形成している。したがって、銅管１０２を配管ベンダーで曲げることができず、エルボ管３２を用いた場合であっても、図４に示すように、屈曲管３１を装着した場合の収容空間２２にエルボ３２が配される形状でエルボ付の冷媒用複合配管１００のコーナー部１００ａに装着することができる。
【００３５】
詳しくは、エルボ付の冷媒用複合配管１００は、屈曲管３１と比較して曲げ半径が小さいエルボ３２の両端に直線状の銅管１０２がロウ付けによって接続されている。したがって、コーナー部２１ｂにおける屈曲管３１より径外側の位置にエルボ３２が配される状態で装着される。この場合、エルボ３２の径内側、すなわち内角側が収容空間２２となる。  
なお、図４は、エルボ付の冷媒用複合配管１００にコーナー配管用断熱カバー１を装着した状態の平面図及びｂ−ｂ端面図による説明図を示す。
【００３６】
このようにして、屈曲管３１やエルボ３２のように曲率の異なる屈曲部を有する冷媒用複合配管１００であっても、装着孔部２１に収容空間２２を備えたことによって、剥き出し状態の冷媒用複合配管１００のコーナー部１００ａに断熱層部２０を装着してコーナー配管用断熱カバー１を取付けることができる。
【００３７】
次に、本発明のコーナー配管用断熱カバー１を用いた冷媒用配管の施工方法について説明する。  
まず、空調用配管システムにおいて、屋上等で冷媒用複合配管１００を必要に応じて配管し、コーナー部１００ａの被覆材１０１を所定の長さで撤去し、屈曲管３１を配管ベンダーで形成する。
【００３８】
被覆材１０１の除去された屈曲管３１に、図１，２に示すように装着孔部２１に合わせて断熱層部２０を装着し、接着剤で切断面２０ａを接着固定する。そして、断熱層部２０と冷媒用複合配管１００の被覆材１０１の境界部分Ｂ１を跨ぐようにして粘着テープ（図示省略）で固定する。これにより、銅管１０２に対する断熱層部２０の断熱性をより高めることができる。
【００３９】
その外側に保護ケース１０をかぶせ、断面Ｃ型の端面１０ｂに備えた凸状鉤部１２を突き合わせてジッパー１３で結合し、保護ケース１０と冷媒用複合配管１００の被覆材１０１の境界部分Ｂ２を跨ぐように粘着テープで固定する。これにより、被覆材１０１を除去した屈曲管３１を容易に断熱層部２０で断熱被覆し、さらに耐候性・耐傷性の保護ケース１０で保護し、密閉して止水することが容易に行える。
【００４０】
また、配管経路に応じて銅管１０２を配管ベンダーで曲げることができない場合、コーナー部１００ａの両側をストレートの冷媒用複合配管１００で予め配管し、そのコーナー部１００ａの両側の端部の被覆材１０１を所定長さで剥がして剥き出しにする。
【００４１】
この状態において、その両銅管１０２にエルボ３２を取付け、ロウ付けによって固定する。そして、この被覆材１０１が剥がされ剥き出しになった銅管１０２及びエルボ３２を、図４に示すように、エルボ３２が径外側となるように装着孔部２１に合わせて断熱層部２０を装着し、断熱層部２０と被覆材１０１の境界部分Ｂ１を跨ぐようにして粘着テープ（図示省略）で固定する。
【００４２】
このようにして、本発明のコーナー配管用断熱カバー１及び断熱層部２０は、装着孔部２１に異なる曲率に対応した収容空間２２が設けられているため、配管ベンダーによって曲げるような曲げ半径の大きい場合でも（図１参照）、エルボ３２を用いた接続のような曲げ半径の小さい場合でも（図４参照）、同様に装着孔部２１をコーナー部１００ａに装着することができ、いずれの場合でも同等な断熱性、耐候性、耐傷性を発揮することができる。  
したがって、別途保護ケースを必要としない冷媒配管と組み合わせて、屋外に暴露した状態で使用出来る。
【００４３】
また、剥き出しになった銅管１０２の屈曲管３１やエルボ３２に断熱層部２０を装着し、該断熱層部２０の外側を保護ケース１０で囲繞し、端面１０ｂに備えた凸状鉤部１２をジッパー１３で嵌合したことによって、容易に屈曲管３１やエルボ３２を含むコーナー部１００ａを被覆ができる。また、既存の冷媒用複合配管１００の被覆材１０１と保護ケース１０との境界部Ｂ２を跨ぐようにテープで巻くことにより、内部を完全に止水することが可能である。
【００４４】
なお、これら上記記載を換言すると、本発明のコーナー配管用断熱カバー１により、被覆材１０１を剥がして剥き出しにした銅管１０２、ことに屈曲管３１やエルボ３２を効率よく断熱し、且つ環境や外傷から保護することができる。また、銅管１０２を配管ベンダーによって曲げる場合、またはエルボ３２により接続する場合、すなわち異なる曲率の屈曲部であっても対応して装着することができる。
【００４５】
また、断熱層部２０を上下に分割可能に構成するとともに、保護ケース１０を断面Ｃ型に形成したため、コーナー部１００ａの施工時に容易にコーナー配管用断熱カバー１を後付けすることができる。また、保護ケース１０の突き合わせた端面１０ｂの凸状鉤部１２をジッパー１３で覆って結合するため、断熱を確実にするとともに止水もでき、外観上美しく形成することができる。
【００４６】
なお、本実施例において、略Ｃ字型断面の保護ケース１０を用いたが、上下方向に２つに分割可能な構成とし、分割面で着脱自在に結合可能に構成すればよい。  
また、本実施例において、保護ケース１０の端面１０ｂに凸状鉤部１２と、両端面１０ｂの凸状鉤部１２を突き合わせて嵌合するジッパー１３とを備えたが、端面１０ｂの一方が長手に連続したツメ部、もう一方が長手に連続した受け部に備え、ツメ部及び受け部が嵌合できる構成であってもよい。
【００４７】
また、本実施例において、保護ケース１０を、厚さ３ｍｍの耐候性、耐傷性に優れたポリエチレン等の材質で構成したが、厚さ０．５ｍｍ〜３ｍｍで形成してもよい。
【００４８】
また、本実施例において、断熱層部２０を、厚さ１０ｍｍの断熱性の高い発泡ポリエチレンで形成したが、発泡ポリプロピレン等の断熱性の高い材質で、厚さ８ｍｍ〜２０ｍｍで形成してもよい。  
また、本実施例において、外径１５ｍｍの銅管１０２を用いたが、外径が６．３５ｍｍ〜４４．４５ｍｍの銅管を用いてもよい。
【００４９】
この発明の構成と、上述の実施形態との対応において、
この発明の冷媒用配管及び複合配管は、冷媒用複合配管１００に対応し、
以下同様に、
保護ケース部は、保護ケース１０に対応し、
屈曲部は、屈曲管３１またはエルボ３２に対応し、
分断部分は、開口部１０ａに対応し、
分断部分の両端近傍は、端面１０ｃに対応し、
結合手段は、凸状鉤部１２及びジッパー１３に対応し、
凸部は、凸状鉤部１２に対応し、
この発明は、上述の実施形態の構成のみに限定されるものではなく、多くの実施の形態を得ることができる。
【図面の簡単な説明】
【００５０】
【図１】コーナー配管用断熱カバーを装着した冷媒用配管のコーナー部の平面方向断面図。
【図２】コーナー配管用断熱カバーの端面図による説明図。
【図３】コーナー配管用断熱カバーの分解説明図である。
【図４】エルボ付の冷媒用複合配管にコーナー配管用断熱カバーを装着した冷媒用配管のコーナー部の説明図。
【符号の説明】
【００５１】
１…コーナー配管用断熱カバー
１０…保護ケース
１０ａ…開口部
１０ｂ，１０ｃ…端面
１２…凸状鉤部
１３…ジッパー
２０…断熱層部
２２…収容空間
３１…屈曲管
３２…エルボ
１００…冷媒用複合配管
１００ａ…コーナー部
【図１】
2009030698.tif 000003
【図２】
2009030698.tif 000004
【図３】
2009030698.tif 000005
【図４】
2009030698.tif 000006